(57)【特許請求の範囲】
【請求項１】
両端部に第１の支持部がそれぞれ設けられ、この第１の支持部を中心軸として回動可能で第１の長孔を有する第１連動部材と、両端部に第２の支持部がそれぞれ設けられ、この第２の支持部を中心軸として回動可能で、前記第２の支持部間に第２の長孔が形成された連結部を有し、この連結部の中央部に膨出部を設けると共に、前記膨出部の凹部内側に前記第１連動部材を位置させた状態で前記第１連動部材と直交して配設された第２連動部材と、解放された下部を蓋閉する底板を有し、前記膨出部が前記第１連動部材よりも前記底板側に配置されると共に、前記底板上の空洞内部に前記第１の支持部の中心軸と前記第２の支持部の中心軸が直交した状態で前記第１連動部材及び第２連動部材の前記第１の支持部及び第２の支持部を回動可能に支持する枠体と、前記第１の長孔及び第２の長孔に挿通され、前記第１の長孔内に位置して傾動可能及び第２の長孔内に位置して移動可能となるように、前記第１連動部材の軸支孔に抜け止めされて軸支される操作軸と、前記連結部の前記底板側へ突出した前記膨出部が螺旋状に巻回された巻回部内に位置するように配置され、前記第１連動部材及び第２連動部材を前記底板側から弾性付勢可能なコイルバネと、前記操作軸の傾動により前記第１連動部材及び第２連動部材を介して操作可能な複数の電気部品とを備え、前記操作軸には軸支孔が形成されており、前記操作軸の軸支孔と前記第１連動部材の軸支孔にピンを挿入して操作軸は軸支され、前記操作軸の軸支孔は、前記第１連動部材の両端部側の前記第１の支持部を結ぶ線と同一線上に形成され、前記枠体は前記底板と対向する上板を有し、前記第１連動部材及び第２連動部材のそれぞれの前記第１の支持部及び第２の支持部は、前記枠体の上板から四方に折り曲げられたそれぞれの側板の前記上板から同一高さ位置に支持されていることを特徴とする多方向入力装置。
【請求項２】
前記連結部の膨出部が円弧状に形成され、この円弧状の中心が、前記第１連動部材の前記操作軸を軸支する前記軸支孔の中心線上に位置するようにしたことを特徴とする請求項１記載の多方向入力装置。
【請求項３】
前記操作軸は、前記コイルバネが前記第１連動部材及び第２連動部材の前記第１の支持部及び第２の支持部に隣接する第１の腕部及び第２の腕部の前記底板側を弾性付勢することにより、前記第１連動部材及び第２連動部材の長手方向とは直交する方向に直立して保持可能となっていることを特徴とする請求項１、又は２記載の多方向入力装置。
【発明の詳細な説明】
【０００１】
【発明の属する技術分野】
本発明は、操作軸の操作により複数の電気部品を同時に操作することができる多方向入力装置に関する。
【０００２】
【従来の技術】
従来の多方向入力装置は、図１９に示すように、箱型のケース３１を有し、このケース３１の上板３１ａには、中央部に孔３１ｂが形成されている。また、ケース３１内には、第１、第２連動部材３２、３３が互いに直交する方向に支持されて回動可能になっている。
前記第１連動部材３２は、略コ字状に形成された連結部３２ａを有し、この連結部３２ａの長手方向に第１の長孔３２ｂが貫通形成されている。また、連結部３２ａの一方の端部の下部には、連結部３２ａの長手方向と平行方向に係止爪３２ｃが突出形成されている。また、連結部３２ａの両端部の下部には、係止爪３２ｃと直交する方向に突起３２ｄ、３２ｄが突出形成されいる。
【０００３】
前記第１連動部材３２の下部には、第１連動部材３２と直交する方向に第２連動部材３３が配設され、この第２連動部材３３は、棒状の連結部３３ａを有し、この連結部３３ａには、長手方向に第２の長孔３３ｂが貫通形成されている。
また、連結部３３ａの一方の端部には、連結部３３ａの長手方向と平行方向に係止爪３３ｃが突出形成されている。前記連結部３３ａの両端部で係止爪３３ｃと直交する方向には、突起３３ｄ、３３ｄが突出形成されている。前記第２の長孔３３ｂには、軸支孔３３ｅが貫通形成されている。
前記ケース３１の孔３１ａには、操作軸３４が挿通されており、この操作軸３４は、棒状の円柱部３４ａを有し、この円柱部３４ａの下部に平坦部３４ｂが形成され、この平坦部３４ｂから下方に突出する突起３４ｃが設けられている。また、平坦部３４ｂには支持孔３４ｄが貫通形成されている。
なお、図１９においては、側板３１ｄに取り付けられる可変抵抗器３５は、図示を省略している。
【０００４】
前記ケース３１の図示左側の一方の側板３１ｃ、及びこの一方の側板３１ｃと直交する側の他方の側板３１ｄには、回転形電気部品である例えば可変抵抗器３５が取付可能になっており、この可変抵抗器３５は基板３５ａと摺動子受け３５ｂとからなり、この摺動子受け３５ｂには第１、第２連動部材３２、３３の係止爪３２ｃ、３３ｃが係合可能な係合孔３５ｃが設けられている。
【０００５】
また、第１、第２連動部材３２、３３の下方には、略正方形の押し上げ部材３６が配設され、この押し上げ部材３６には、第１連動部材３２の突起３２ｄが当接可能な当接部３６ａと、第２連動部材３３の突起３３ｄが当接可能な当接部３３ｃが、それぞれ隅部寄りに突出形成されている。また、押し上げ部材３６の央部には孔３６ｃが貫通形成されている。
また、押し上げ部材３６の下部には、コイルバネ３７が配設され、このコイルバネ３７が下部の底板３８に弾性付勢されて取り付けられている。そのために、押し上げ部材３６は、常に上方の第１、第２連動部材３２、３３側に押し上げ可能になっている。
【０００６】
このような構成の従来の多方向入力装置の操作軸３４を、図２０Ａに示すように、矢印Ａ方向に傾動操作すると、軸支部分であるピン３９を支点として、平坦部３４ｂが第２の長孔３３ｂに沿って傾動し、図２０Ｂに示す第１連動部材３２が両端部の支持部３２ｅ、３２ｆを支点として回動して、係止爪３２ｃに係止している可変抵抗器３５を操作可能になっている。
また、図２０Ｂに示すように、操作軸３４を矢印Ｂ方向に傾動操作すると、操作軸３４は、円柱部３４ａが第１連動部材３２の第１の長孔３２ｂに沿って移動し、図２０Ａに示す第２連動部材３３が、支持部３３ｆ、３３ｇを支点として回動して、係止爪３３ｃに係止している可変抵抗器３５を操作可能になっている。
【０００７】
このような、操作軸３４の矢印Ａ、又はＢ方向に加えていた力を解除すると、コイルバネ３７の弾性力で、押し上げ部材３６が上方に押し上げられて、第１、第２連動部材３２、３３が回動して初期の姿勢に復帰すると共に、操作軸３４が垂直状の中立位置に自動復帰する。
【０００８】
このような従来の多方向入力装置は、操作軸３４の傾動操作で、ケース３１に取り付けた２個の可変抵抗器を同時に操作することができ、例えばパソコンのディスプレ−上のカーソル等の入力操作を容易に行うことができる。
【０００９】
【発明が解決しようとする課題】
しかし、前述したような従来の多方向入力装置は、第１連動部材３２の連結部３２ａが、第２連動部材３３の上方に第２連動部材３３を跨いで形成されているので、図２０Ａに示すように、ケース３１の上板３１ａと第２連動部材３３との間の隙間を、連結部３２ａが回動できるように大きくしなければならなかった。そのために、従来の多方向入力装置の薄型化が難しかった。
【００１０】
また、第１、または第２連動部材３２、３３のそれぞれの突起３２ｄ、３３ｄが、押し上げ部材３６に当接する位置が、センタからズレているために、操作軸３４を傾動させて第１、又は第２連動部材３２、３３の回動により、押し上げ部材３６を押し下げる時に、押し上げ部材３６が斜めになって、押し上げ部材３６をガイドする、中央の孔３６ｃと底板３８のガイド部３８ａとにキシミが発生する。
そのため、押し上げ部材３６をスムーズに押し下げることができず、操作軸３４を傾動操作する時の操作フィーリングが悪くなる問題があった。
本発明は前述したような問題点に鑑みてなされたもので、薄型化が可能であると共に、操作軸の操作フィーリングが良い高性能な多方向入力装置を提供することを目的とするものである。
【００１１】
【課題を解決するための手段】
前記課題を解決するための第１の手段として本発明の多方向入力装置は、両端部に第１の支持部がそれぞれ設けられ、両端部に第１の支持部がそれぞれ設けられ、この第１の支持部を中心軸として回動可能で第１の長孔を有する第１連動部材と、両端部に第２の支持部がそれぞれ設けられ、この第２の支持部を中心軸として回動可能で、前記第２の支持部間に第２の長孔が形成された連結部を有し、この連結部の中央部に膨出部を設けると共に、前記膨出部の凹部内側に前記第１連動部材を位置させた状態で前記第１連動部材と直交して配設された第２連動部材と、解放された下部を蓋閉する底板を有し、前記膨出部が前記第１連動部材よりも前記底板側に配置されると共に、前記底板上の空洞内部に前記第１の支持部の中心軸と前記第２の支持部の中心軸が直交した状態で前記第１連動部材及び第２連動部材の前記第１の支持部及び第２の支持部を回動可能に支持する枠体と、前記第１の長孔及び第２の長孔に挿通され、前記第１の長孔内に位置して傾動可能及び第２の長孔内に位置して移動可能となるように、前記第１連動部材の軸支孔に抜け止めされて軸支される操作軸と、前記連結部の前記底板側へ突出した前記膨出部が螺旋状に巻回された巻回部内に位置するように配置され、前記第１連動部材及び第２連動部材を前記底板側から弾性付勢可能なコイルバネと、前記操作軸の傾動により前記第１連動部材及び第２連動部材を介して操作可能な複数の電気部品とを備え、前記操作軸には軸支孔が形成されており、前記操作軸の軸支孔と前記第１連動部材の軸支孔にピンを挿入して操作軸は軸支され、前記操作軸の軸支孔は、前記第１連動部材の両端部側の前記第１の支持部を結ぶ線と同一線上に形成され、前記枠体は前記底板と対向する上板を有し、前記第１連動部材及び第２連動部材のそれぞれの前記第１の支持部及び第２の支持部は、前記枠体の上板から四方に折り曲げられたそれぞれの側板の前記上板から同一高さ位置に支持されている構成とした。
【００１２】
また、前記課題を解決するための第２の手段として、前記連結部の膨出部が円弧状に形成され、この円弧状の中心が、前記第１連動部材の前記操作軸を軸支する前記軸支孔の中心線上に位置するようにした構成とした。
【００１４】
また、前記課題を解決するための第３の手段として、前記操作軸は、前記コイルバネが前記第１連動部材及び第２連動部材の前記第１の支持部及び第２の支持部に隣接する第１の腕部及び第２の腕部の前記底板側を弾性付勢することにより、前記第１連動部材及び第２連動部材の長手方向とは直交する方向に直立して保持可能となっている構成とした。
【００１５】
【発明の実施の形態】
本発明の多方向入力装置を図面に基づいて説明する。図１は本発明の多方向入力装置の要部断面図で、図２は本発明に係わる第１連動部材の動作を説明する図であり、図３は本発明に関する要部断面図で、図４は本発明に係わる第２連動部材の動作を説明する図であり、図５は本発明の多方向入力装置の上面図であり、図６は本発明に係わる操作軸の図であり、図７は本発明に係わる第１連動部材の上面図であり、図８は図７の断面図であり、図９は図８の下面図であり、図１０は図８の側面図であり、図１１は本発明に係わる第２連動部材の上面図であり、図１２は図１１の断面図であり、図１３は図１２の下面図であり、図１４は図１２の側面図であり、図１５は本発明に係わるバネ受け部材の図であり、図１６は本発明に係わる底板の上面図であり、図１７は図１６の断面図であり、図１８は図１６の側面図である。
【００１６】
まず、本発明の多方向入力装置は、図５に示すように、鉄板等からなる箱形の枠体１がプレス等で折り曲げ形成され、上部が上板１ａで覆われ、この上板１ａに円形の操作孔１ｂが設けられ、上板１ａの四方には、下方に折り曲げられた側板１ｃ、１ｄ、１ｅ、１ｆが設けられて、枠体１の内部が空洞になっている。
前記枠体１０の空洞内部には、第１、第２連動部材２、４が、互いに直交して十字状に組み合わされて配設されている。
【００１７】
前記第１連動部材２を図７〜図１０に基づいて説明すると、第１連動部材２は、合成樹脂、又は亜鉛ダイカストからなり、図８に示すように、中央部に半円状の基部２ａを有し、この基部２ａから図示右方向に突出する一方の腕部２ｂと、図示左方向に突出する他方の腕部２ｃとがそれぞれ形成されている。
前記一方と他方の腕部２ｂ、２ｃの両端部側には、第１連動部材２を枠体１内部に位置させた状態で、側板１ｃ、１ｅに支持するための円柱状の支持部２ｄ、２ｆがそれぞれ設けられている。
前記一方の腕部２ｂ側の支持部２ｄからは、棒状の係合部２ｅが突出形成され、この係合部２ｅは、後述する回転型電気部品１１に係合可能になっている。
【００１８】
また、図７に示す基部２ａの中央部には、一方と他方の腕部２ｂ、２ｃ側に延びる第１の長孔２ｇが貫通形成されている。
また、図８に示す基部２ａには、第１の長孔２ｇと直交する方向に、後述する丸ピン７が嵌合可能な軸支孔２ｈが貫通形成されている。この軸支孔２ｈは、図８に示す左右端部側の支持部２ｄ、２ｆを結ぶ線Ｃと同一線上に形成されている。
【００１９】
また、図７に示す一方と他方の腕部２ｂ、２ｃから、図示下方に一対の突部２ｊ、２ｊと、一方と他方の腕部２ｂ、２ｃから図示上方に一対の突部２ｋ、２ｋとが、それぞれ略三角形状に形成されて突出している。前記それぞれの突部２ｊ、２ｋは、後述するバネ受け部材８のリング状の基部８ｄに当接可能に形成されている。
また、図８に示すそれぞれの支持部２ｄ、２ｆ近傍で、一方と他方の腕部２ｂ、２ｃの図示下部には、後述するリング状のバネ受け部材８の動きをガイド可能な
ガイド部３が形成されている。
このガイド部３は、図９に示すように、それぞれの支持部２ｄ、２ｆ近傍で、且つ、それぞれの支持部２ｄ、２ｆと第１の長孔２ｇとの間に略円環状に形成されている。
また、図８に示すガイド部３を構成する左右のガイド面３ａは、テーパ状に形成されている。このような構成の第１連動部材２は、図５に示すように、一方と他方の支持部２ｄ、２ｆが、枠体１の側板１ｃ、１ｅに支持されて回動可能になっている。
【００２０】
前記第２連動部材４を図１１〜図１４に基づいて説明すると、第２連動部材４は、合成樹脂等からなり、枠体１内部で第１連動部材２と直交する方向に配設され、図１２に示すように、中央部には下向きの円弧状に形成された連結部４ａが設けられ、この連結部４ａから図示右方向に一方の腕部４ｂと、図示左方向に他方の腕部４ｃとがそれぞれ突出形成されている。
前記一方と他方の腕部４ｂ、４ｃの両端部側には、第２連動部材４を枠体１の側板１ｄ、１ｆに支持するための、円柱状の支持部４ｄ、４ｅがそれぞれ設けられている。
前記一方の腕部４ｂ側の支持部４ｄからは、棒状の係合部４ｆが突出形成され、この係合部４ｆは、後述する回転型電気部品１１に係合可能になっている。
【００２１】
また、第２連動部材４は、図１１に示すように、一方と他方の腕部４ｂ、４ｃから図示下方に一対の突部４ｈ、４ｈと、一方と他方の腕部４ｂ、４ｃから図示上方に一対の突部４ｋ、４ｋとが、それぞれ略三角形状に形成されて突出している。前記それぞれの突部４ｈ、４ｋは、後述するバネ受け部材８のリング状の基部８ｄに当接可能に形成されている。
また、図１２に示すそれぞれの支持部４ｄ、４ｅ近傍で、一方と他方の腕部４ｂ、４ｃの図示下面には、後述するリング状のバネ受け部材８の動きをガイド可能なガイド部５が形成されている。
このガイド部５は、図１３に示すように、略円環状に形成され、外周側にテーパ状の外面５ａが形成され、内周側が円弧状の連結部４ａで構成されている。
このような第２連動部材４は、図５に示すように、枠体１の側板１ｄ、１ｆに支持部４ｄ、４ｅが支持されて回動可能になっている。
また、第２連動部材４の連結部４ａは、第１連動部材２の下方に、この第１連動部材を跨いで配設されている。
即ち、連結部４ａは、第１連動部材２の下方に第１連動部材２を跨いで配設されている。
【００２２】
また、第１、第２連動部材２、４のそれぞれの支持部２ｄ、２ｆ、４ｄ、４ｅは、枠体１の四方の側板１ｃ、１ｄ、１ｅ、１ｄの同じ高さ位置に、それぞれ回動可能に支持されている。
即ち、第１、第２連動部材２、４のそれぞれの支持部２ｄ、２ｆ、４ｄ、４ｅは、図１、又は図３に示す基準線Ｄの同一面上に位置して取り付けられている。
また、枠体１に第１、第２連動部材２、４を直交させて組み込んだ時の第２連動部材４の円弧状の連結部４ａは、後述する操作軸６を第１連動部材２に軸支する軸支部分である軸支孔２ｈに円弧中心が位置するようになっている。
【００２３】
前記第１の連動部材２の軸支孔２ｈに軸支される操作軸６は、金属からなり、図６に示すように、平坦状の第１操作部６ａと、この第１操作部６ａから図示左側に突出する円柱状の第２操作部６ｂと、第１操作部６ａから図示右側に突出する円柱状の摘み部６ｃとで概略構成されている。
また、第１操作部６ａの略中央部には、操作軸６を第１連動部材２の軸支孔２ｈに軸支するための軸支孔６ｄが形成されている。
【００２４】
このような操作軸６は、第１操作部６ａが、第１連動部材２の第１の長孔２ｇ内に位置して傾動可能となっており、第２操作部６ｂが第２連動部材４の連結部４ａの第２の長孔４ｇ内に位置して移動可能となっている。
そして、操作軸６は、図１に示すように、第１操作部６ａが第１連動部材２の第１の長孔２ｇ内に挿入され、互いの軸支孔２ｈ、６ｄを位置合わせした状態で、このそれぞれの軸支孔２ｈ、６ｄに丸ピン７を一方側から挿入し、丸ピン７の先端部を他方側からカシメ付けると、第１連動部材２に操作軸６が抜け止めされて軸支され、軸支部分である丸ピン７を支点として傾動可能になっている。
【００２５】
前記枠体１に、互いに直交して組み込まれた第１、第２連動部材２、４の、円環状のガイド部３、５には、バネ受け部材８が配設されいる。このバネ受け部材８は、樹脂材料からなり、後述するコイルバネ９の上端部側を位置決め可能な、凹状溝からなる位置決め部８ａが、リング状の基部８ｄに形成されている。
またバネ受け部材８は、リング状の基部８ｄに外周部８ｂと内周部８ｃが形成されている。
前記第１、第２連動部材２、４のガイド部３、５にガイドされたバネ受け部材８は、位置決め部８ａが下向きになって配設されるようになっている。
【００２６】
このようなバネ受け部材８は、第１連動部材２のガイド部３に、外周部８ｂと内周部８ｃとがガイド面３ａにガイドされ、第２連動部材４のガイド部５に、外周部８ｂがガイド面５ａに、また、内周部８ｃが円弧状の連結部４ａにガイドされるようになっている。
そして、第１、第２連動部材２、４を回動させた時に動くバネ受け部材８の動きを、第１、第２連動部材２、４でガイドするようになっている。
【００２７】
また、バネ受け部材８は、外周部８ｂと内周部８ｃの両方がガイドされるように説明したが、外周部８ｂ、又は内周部８ｃだけをガイドするようにしても良い。
即ち、第１、第２連動部材２、４のガイド部３、５は、第１、第２連動部材２、４の支持部２ｄ、２ｆ、４ｄ、４ｅ近傍にバネ受け部材８の外周部８ｂ、又は／及び内周部８ｃをガイド可能に形成したものであれば良い。
このようなバネ受け部材８は、位置決め溝８ａを形成した基部８ｄの反対側の面に、第１、第２連動部材２、４のそれぞれの突部２ｊ、２ｋ、４ｈ、４ｋが当接可能になっている。
そして、バネ受け部材８は、操作軸６の傾動動作により、第１、第２連動部材２、４が回動すると、突部２ｊ、２ｋ、４ｈ、４ｋのいずれかに押圧されて、図２、図４に示すように、コイルバネ９の付勢力に抗して傾斜するようになっている。
【００２８】
前記バネ受け部材８は、図１に示すように、コイルバネ９で常に上方に弾性付勢されている。このコイルバネ９は、上端部側がバネ受け部材８の位置決め部８ａに位置決めされるようになっている。
前記位置決め部８ａの形状は、図１５Ｂにおいて、コイルバネ９の外周部と内周部とを位置決め可能な凹状に形成しているが、コイルバネ９の外周部だけ、又は、内周部だけを位置決め可能なＬ字状（図示せず）に形成しても良い。
【００２９】
また、枠体１は、下部が解放されており、この解放された下部を蓋閉する底板１０を有し、この底板１０にコイルバネ９の下端部側が弾性付勢するようになっている。このような底板１０を図１６〜図１８に基づいて説明すると、底板１０は、外形が略四角形に形成され、中央部には操作軸６を傾動操作時に、誤って押圧荷重が加わった時、操作軸６の下方への動きを規制する規制部１０ａが円弧状に彫り込み形成されている。
この規制部１０ａは、操作軸６が誤って下方に凹圧された時、操作軸６の第２操作部６ｂの下端部が当接して、操作軸６を軸支する第１連動部材２に無理な負荷が加わらないようになっている。
また、操作軸６を傾動させる角度αは、略２５°に設定されており、操作軸６を最大に傾動させても、操作軸６の第２操作部６ｂが、規制部１０ａから外れないようになっている。
前記規制部１０ａの外側には、コイルバネ９の下端部を位置決めするための位置決め溝１０ｂが、所定の深さで円環状に彫り込みされている。
【００３０】
また、略四角形の側面の略中央部には、角孔１０ｃがそれぞれ貫通形成されている。このそれぞれの角孔１０ｃには、図１に示すような、枠体１の側板１ｃ、１ｄ、１ｅ、１ｆから下方に延びる取付脚１ｇが挿通可能になっている。
また、図１６に示す略四角形の右側の側面と下部の側面とには、後述する回転型電気部品１１を取り付けるための取付壁１０ｄが形成されている。
このような本発明の多方向入力装置は、コイルバネ９がバネ受け部材８を介して、第１、第２連動部材２、４のそれぞれの支持部２ｄ、２ｆ、４ｄ、４ｆ近傍を、下方から上方に弾性付勢している。そのために、垂直状に中立位置に保持している操作軸６を、図２、図４のように傾動させても、コイルバネ９の付勢力で中立位置に自動復帰可能となっている。
【００３１】
このような本発明の多方向入力装置の動作を、図１〜図５に基づいて説明すると、まず、図１に示すように、垂直状態で中立位置にある操作軸６を、図２のように矢印Ｅ方向に傾動操作する。
すると、第１連動部材２が回動して傾斜し、突部２ｋがバネ受け部材８を押圧して、バネ受け部材８の図示右側が降下して傾斜すると共に、コイルバネ９の図示右側が圧縮されて撓む。
この時、図３に示す第１連動部材２の係合部４ｆに係合している回転型電気部品１１が回転操作されて、例えば回転型電気部品１１が可変抵抗器であれば、抵抗値が可変する。
【００３２】
また、図３に示すように、垂直状の中立位置にある操作軸６を、図４のように矢印Ｆ方向に傾動操作すると、第２連動部材４が回動して傾斜し、突部４ｋがバネ受け部材８を押圧して、バネ受け部材８の図示左側が第２連動部材４が傾斜して、突部４ｋがバネ受け部材８を押圧して、バネ受け部材８の図示左側が降下して傾斜すると共に、コイルバネ９の図示左側が圧縮されて撓む。
この時、図１に示す第２連動部材２の係合部２ｅに係合している回転型電気部品１１が回転操作されて、例えば回転型電気部品１１が可変抵抗器であれば、抵抗値が可変する。
また、上記以外の方向に操作軸６を傾動操作しても、上記のような動作の組み合わせで、両方の回転型電気部品１１を駆動させることができる。
なお、本発明の実施の形態の説明では、第１、第２連動部材２、４を、枠体１で直接保持しているが、例えば、支持部２ｄ、２ｆを省略し、回転型電気部品１１で間接的に枠体１に保持するようにしても良い。
【００３３】
【発明の効果】
本発明の多方向入力装置は、第２連動部材は、前記第１連動部材と直交して配設され、前記連結部の膨出部が前記第１連動部材よりも前記底板側に配置されると共に、前記連結部の膨出部の凹部内側に前記第１連動部材を位置させた状態で配設され、前記連結部の膨出部をコイルバネの螺旋状に巻回された巻回部内に位置させるようにしたので、第１、第２連動部材と枠体の上板との間の隙間を小さくすることができる。そのために枠体の高さ寸法を小さくすることができ、薄型の多方向入力装置を提供できる。
また、第２連動部材の連結部の膨出部をコイルバネの螺旋状に巻回された巻回部内に位置させているので、コイルバネの巻回部の空きスペースを有効に使うことができると共に、第１、第２連動部材を無理なく回動させることができる。
【００３４】
また、第２連動部材の連結部は、円弧状に形成され、この円弧状の中心が第１連動部材の操作軸を軸支する軸支部分に位置するようにしたので、前記操作軸を傾動させた時に、連結部の第２の長孔内を移動する操作軸の第２操作部は、常に同じ位置が第２の長孔内に位置して移動する。そのために、操作軸を傾動をスムーズに行うことができ、操作フィーリングの良い多方向入力装置を提供できる。
【００３５】
また、前記第１、第２連動部材のそれぞれの前記支持部は、前記枠体の同一高さ位置に支持されているので、第１、第２連動部材を回動させるときの、操作軸の作動力を均一にでき、操作フィーリングを良くできる。
【００３６】
また、前記操作軸は、前記コイルバネが前記第１、第２連動部材の前記支持部近傍を弾性付勢することにより、垂直状の中立位置に保持可能となっているので、操作軸を傾動操作後、操作軸に加えていた作動力を解除すると、操作軸が中立位置に自動復帰する。そのために操作性の良い多方向入力装置を提供できる。
【図面の簡単な説明】
【図１】本発明に関する多方向入力装置の要部断面図である。
【図２】本発明に係わる第１連動部材の動作を説明する要部断面図である。
【図３】本発明にに関する多方向入力装置の要部断面図である。
【図４】本発明に係わる第２連動部材の動作を説明する要部図である。
【図５】本発明に関する多方向入力装置の上面図である。
【図６】本発明に係わる操作軸の図である。
【図７】本発明に係わる第１連動部材の上面図である。
【図８】本発明に係わる第１連動部材の断面図である。
【図９】本発明に係わる第１連動部材の下面図である。
【図１０】本発明に係わる第１連動部材の側面図である。
【図１１】本発明に係わる第２連動部材の上面図である。
【図１２】本発明に係わる第２連動部材の断面図である。
【図１３】本発明に係わる第２連動部材の下面図である。
【図１４】本発明に係わる第２連動部材の側面図である。
【図１５】本発明に係わるバネ受け部材の図である。
【図１６】本発明に係わる底板の上面図である。
【図１７】本発明に係わる底板の断面図である。
【図１８】本発明に係わる底板の正面図である。
【図１９】従来の多方向入力装置の分解斜視図である
【図２０】従来の多方向入力装置の動作を説明する図である。
【符号の説明】
１  枠体
１ａ  上板
２  第１連動部材
２ａ  基部
２ｂ  一方の第１の腕部
２ｃ  他方の第１の腕部
２ｄ、２ｆ  第１の支持部
２ｇ  第１の長孔
２ｈ  軸支孔
３  ガイド部
４  第２連動部材
４ａ  連結部（膨出部）
４ｂ  一方の第２の腕部
４ｃ  他方の第２の腕部
４ｄ、４ｅ  第２の支持部
４ｇ  第２の長孔
５  ガイド部
６  操作軸
６ａ  第１操作部
６ｂ  第２操作部
７  丸ピン
８  バネ受け部材
８ａ  位置決め部
８ｂ  外周部
８ｃ  内周部
９  コイルバネ
１０  底板
１１  回転型電気部品
【図１】
0003973343.tif 000002
【図２】
0003973343.tif 000003
【図３】
0003973343.tif 000004
【図４】
0003973343.tif 000005
【図５】
0003973343.tif 000006
【図６】
0003973343.tif 000007
【図７】
0003973343.tif 000008
【図８】
0003973343.tif 000009
【図９】
0003973343.tif 000010
【図１０】
0003973343.tif 000011
【図１１】
0003973343.tif 000012
【図１２】
0003973343.tif 000013
【図１３】
0003973343.tif 000014
【図１４】
0003973343.tif 000015
【図１５】
0003973343.tif 000016
【図１６】
0003973343.tif 000017
【図１７】
0003973343.tif 000018
【図１８】
0003973343.tif 000019
【図１９】
0003973343.tif 000020
【図２０】
0003973343.tif 000021